(57)【要約】【課題】  印刷データを印刷する印刷処理装置において2つ以上の並列に配置された給紙口を持つ事で印刷速度を向上させ、更に並列に配置された用紙をページの順番で排紙する機構を提案する。【解決手段】  排紙トレイの底面を斜めに配置することでページ順番で重なるように排紙される。【選択図】  図１
2009113416.tif 000002
【特許請求の範囲】
【請求項１】
印刷データを印刷する印刷処理装置において、二台以上の並列に配置された給紙口と、前記給紙口でそれぞれに配置された独立に動作する給紙ローラと、印刷された紙が排紙される排紙口と、前記排紙口に取り付けられた底面の中心が下がるように傾斜をつけて配置されている排紙トレイとを有すると共に、前記２台の給紙口より並列に並べられた紙を給紙タイミングをずらして給紙する給紙手段と、前記排紙口より印刷された順番で紙を排紙する排紙手段とを備えることを特徴とする印刷処理装置。
【請求項２】
請求項１に記載の印刷処理装置において、用紙のサイズと位置がわかるセンサを有し、前記センサで検出された用紙のサイズと位置及び前記給紙ローラが給紙するタイミングに合わせて印刷データを配置する配置手段とを備えることを特徴とする印刷処理装置。
【発明の詳細な説明】
【技術分野】
【０００１】
本発明は給紙口より用紙を給紙し印刷して排紙する「印刷処理装置」に関するものである。
【背景技術】
【０００２】
従来、印刷データを処理する印刷処理装置（以下プリンタ）においては、そのプリンタで印刷できる最大の用紙サイズだけではなく、最大の用紙サイズよりも小さな用紙で印刷することが出来る。ここでプリンタとはインクジェット式又はドット式のシリアルプリンタ、電子写真式又は熱転写式のページプリンタ等を指す。
【０００３】
建築家やデザイナーの業界ではCADシートやデザインのイメージを印刷する為にＡ２以上の大判プリンタを頻繁に用いる。そのサイズとは別の用途で通常の印刷サイズであるA4サイズなども使用するが、大判プリンタでA4サイズの印刷を行うとオフィス系のページプリンタやシリアルプリンタに比べて印刷速度が同等か、オフィス用途に最適化されていないため遅い。その為、通常の印刷物はオフィス系のプリンタをもう一台用意して印刷を行っているのが一般的である。
【０００４】
プリンタで印刷できる最大の用紙サイズよりも小さな用紙サイズの印刷を行う場合、用紙を並列に並べることで２枚同時に印刷し印刷速度を速くする発明が提案されている（例えば、特許文献１参照。）。この発明はプリンタにおいて用紙トレイよりハガキを並列に配置し２枚同時に印刷することで印刷速度の向上をはかっている。また大判プリンタ用いた提案としては以下のようなものがある（例えば、特許文献２参照。）。この提案はプリンタに用紙を切断する機構を備え大きな用紙サイズの印刷物を切断し小さな用紙サイズを作成することで印刷速度の向上をはかっている。
【特許文献１】特開２００１−９７５７３号公報
【特許文献２】特開２００４−１８１８４２号公報
【発明の開示】
【発明が解決しようとする課題】
【０００５】
しかしながら、上記発明では印刷物を同時に印刷するだけで、例えばA4サイズの複数ページの印刷を行う場合、ページの順番がバラバラになってしまう。また用紙トレイより印刷を行う為、オフィスのような複数の印刷物を印刷する環境には向いていない。用紙切断機構を備えた大判プリンタを用いて用紙を切断する発明に関しても切断した用紙は手で並べる必要がある。
【０００６】
そこで本発明ではこの問題を解決する。まず２台のカセットを並列に並べて配置する。カセットのサイズは印刷可能な用紙サイズの半分のサイズを用いる。例えばA2サイズのプリンタならばA4サイズのカセット２台、A0サイズのプリンタならばA2サイズのカセット2台またはA4サイズのカセット4台を配置する。このような機構にすることで複数の印刷物を使用する環境に対応する。また排紙口には排紙トレイの底面の真中が下がるように傾斜をつけ印刷された印刷物が印刷された順に重なっていくような機構を取り付ける。さらに、印刷物がページの順番で印刷されるように給紙のタイミングを左右でずらす。
【０００７】
以上のようにすることで複数の印刷物に対応し、印刷物がページ順に並び、印刷速度が向上するプリンタを提案する。
【課題を解決するための手段】
【０００８】
本発明の印刷処理装置は、二台以上の並列に配置された給紙口と、前記給紙口でそれぞれに配置された独立に動作する給紙ローラと、印刷された紙が排紙される排紙口と、前記排紙口に取り付けられた底面の中心が下がるように傾斜をつけて配置されている排紙トレイとを有すると共に、前記２台の給紙口より並列に並べられた紙を給紙タイミングをずらして給紙する給紙手段と、前記排紙口より印刷された順番で紙を排紙する排紙手段とを備え、更に用紙のサイズと位置がわかるセンサを有し、前記センサで検出された用紙のサイズと位置及び前記給紙ローラが給紙するタイミングに合わせて印刷データを配置する配置手段とを備えることを特徴とする。
【発明の効果】
【０００９】
本提案の印刷処理装置は給紙口を2つ持ち同時に印刷を行うことで印刷速度を向上させ、さらに並んだ複数の印刷物を順番に並べる特徴がある。
【発明を実施するための最良の形態】
【００１０】
次に、本発明の詳細を実施例の記述に従って説明する。
【実施例１】
【００１１】
本発明を添付する図面と共に以下に説明する。図１は本発明係わる印刷処理装置とその機構を表した構成図である。図１のプリンタ装置１０（印刷処理装置）は給紙する紙をセットする第１のカセット１１１と第２のカセット１１２と、紙を排紙する排紙口１２と、排紙した紙を置く排紙トレイ１３から構成されている。更に第１のカセット１１１と第２のカセット１１２はそれぞれ独立に動作する第１の給紙ローラ１４１と第２の給紙ローラ１１２を持つ。排紙トレイ１３は図１右下に示すようにトレイの中央部分が下に落ち込んだ構成になっており、紙が落ちた順番どおりに中心に寄せられ重なっていく。
【００１２】
本発明の印刷処理の流れを図２のフローチャートと共に説明する。プリンタ装置１０の構成は図１に示すようなＡ２ノビサイズでＡ４カセットを２台装着しているものとする。まずプリンタ装置１０がＡ４複数ページの印刷データを受信する（Ｓ１０２）。プリンタ装置１０はＡ４サイズの印刷物が２枚以上受信したことを確認すると第１の給紙ローラ１４１および第２の給紙ローラ１４２を動作させ紙端をつかんだ状態で待機する（Ｓ１０３）。プリンタ装置１０は２値化された印刷データをプリンタ内の仮想Ａ２ページサイズの印刷物中で１ページ目を第一のカセット１１１側に２ページ目を第二のカセット１１２側に並べる。２ページの印刷データは更に半ページ後ろにずらした状態で配置する（Ｓ１０４）。プリンタ装置１０は印刷データが配置されると印刷データの配置状況に同期して第一の給紙ローラ１４１と第二の給紙ローラ１４２を動作させる（Ｓ１０５）。更に３ページ目は１ページ目の印刷データの後ろに配置する。印刷後、まずは１ページ目のデータが排紙口１２から出力され排紙トレイ１３に落とされる（Ｓ１０６）。排紙トレイ１３は図１右下のように中央が下がった状態になっており、排紙された印刷データは落ちると共に中心にずらされる（Ｓ１０７）。２ページ目の印刷データも排紙口１２から出力され排紙トレイ１３に落ちると共に中心にずらされ（Ｓ１０８）、３ページ目、４ページ目に付いても同様の動作をする（Ｓ１０９）。
【００１３】
以上のようにすることで印刷物は印刷速度が向上し、更にページの順番が正しく配置される。
【００１４】
更に第２の実施例ではＡ４サイズより小さな印刷物を印刷する場合は第１のカセット１１１と第２のカセット１１２の中に印刷物のサイズと位置が判別できるセンサを配置し、センサから入力された情報をもとにプリンタ装置１０はプリンタ内で印刷物を配置する。以上のようにすることでサイズの小さな印刷物に対しても本発明を適用することが出来る。更にカセット及び給紙ローラが３セット以上の場合でも排紙トレイ１３の中心を下げることで排紙された用紙が中心により重なるので本発明で対応することが可能である。
【図面の簡単な説明】
【００１５】
【図１】本発明に係わる印刷処理装置の構成図。
【図２】本発明に係わる印刷処理の流れを示すフローチャート。
【符号の説明】
【００１６】
１０  プリンタ装置
１１１  第１のカセット
１１２  第２のカセット
１２  排紙口
１３  排紙トレイ
１４１  第１の給紙ローラ
１４２  第２の給紙ローラ
【図１】
2009113416.tif 000003
【図２】
2009113416.tif 000004